(57)【要約】【課題】幅の異なる各種の取付対象物に簡単に取り付けることができ、また安定よく吊り下げることのできる物干し具を提供する。【解決手段】取付対象物２に引掛けて吊り下げられる支持部３と、この支持部３に支持され洗濯物が掛けられる物掛け部４からなる。支持部３は、支柱５と、先端に取付対象物２に引掛けられるフック部６ｃを有し、基端を支柱５の中間部位に回動自在に枢着した吊りフック部材６と、吊りフック部材６の基端が枢着された支柱５の中間部位より上方部に対し摺動・固定自在に取り付けられ、吊りフック部材６の中間部位が当接し該中間部位を受け止め支持する受け部７ａを備えたクランプ７とを備える。物掛け部３は吊りフック部材６の基端が枢着された支柱５の中間部位より下方に取り付けられる。【選択図】図１
2007307102.tif 000002
【特許請求の範囲】
【請求項１】
取付対象物に引掛けて吊り下げられる支持部と、この支持部に支持される物掛け部からなる物干し具において、
前記支持部は、支柱と、先端に前記取付対象物に引掛けられるフック部を有し、基端を前記支柱の中間部位に回動自在に枢着した吊りフック部材と、この吊りフック部材の基端が枢着された前記支柱の中間部位より上方部に対し摺動・固定自在に取り付けられ、前記吊りフック部材の中間部位が当接し該中間部位を受け止め支持する受け部を備えたクランプとを備えており、前記物掛け部は、前記吊りフック部材の基端が枢着された前記支柱の中間部位より下方に取り付けられていることを特徴とする、物干し具。
【請求項２】
前記吊りフック部材は、各基端に設けた軸部を前記支柱の中間部位の両側に開口した軸孔に回動自在に係合された一対の腕部と、両腕部の先端側にフック状に形成された前記フック部とを有する形に形成している、請求項１記載の物干し具。
【請求項３】
前記クランプは、前記支柱を挟む平面視Ｕ字形状に形成され、このＵ字形状部の前後一対の開離端部が、該開離端部に挿通した締付けボルトで締め付けられるように構成している、請求項１又は２記載の物干し具。
【請求項４】
前記物掛け部は、その基端部が前記支柱の下端側に固定されたブラケットに支持された片持水平部材からなる、請求項１ないし３のいずれか１項に記載の物干し具。
【請求項５】
前記ブラケットは、前記片持水平部材を略水平姿勢と垂下姿勢とにわたって姿勢切換え可能に支持している、請求項４記載の物干し具。
【発明の詳細な説明】
【技術分野】
【０００１】
本発明は、物干し具、詳しくは、主としてベランダの手摺などに対し簡単に脱着することができ、また安定よく取り付けることのできる物干し具に関する。
【背景技術】
【０００２】
従来、ベランダの手摺など取付対象物に取り付けられる物干し具として、たとえば、物干し具本体と、この物干し具本体を手摺に取り付ける取付具からなり、取付具は取付対象物の幅（厚み）の大小に対応すべく間隔調整できるように互いに接近・離反可能な固定部材と圧着部材とを対向状に備え、固定部材と圧着部材の間で手摺を挟み、圧着部材に締め込みネジを締め込んで手摺に固定するものがある（例えば、特許文献１参照。）。固定部材と圧着部材の間隔調整後は固定部材を蝶ネジで仮止めするようになっている。
【０００３】
【特許文献１】特開２００１−１７７９１号公報
【発明の開示】
【発明が解決しようとする課題】
【０００４】
しかしながら、上記物干し具の取付具では、取付対象物に取付具を取り付けるにあたって、固定部材と圧着部材の対向間隔を取付対象物の幅に合わせて調整した後、蝶ネジで固定部材を仮止めし、さらに圧着部材に締め込みネジを締め込まなければならず、手間がかかるという問題がある。
【０００５】
本発明は、このような問題を解決するためになされたものであり、その目的とするところは、取付対象物に対する引掛け吊り下げ手段に工夫を凝らすことにより幅の異なる多種類の取付対象物にも対応でき、しかも簡易かつ迅速に取り付けることのできる物干し具を提供することにある。
【課題を解決するための手段】
【０００６】
本発明は、請求項１に記載のように、発明の内容を理解しやすくするために図１〜図４に付した符号を参照して説明すると、取付対象物２に引掛けて吊り下げられる支持部３と、この支持部３に支持される物掛け部４からなる物干し具において、支持部３は、支柱５と、先端に取付対象物２に引掛けられるフック部６ｃを有し、基端を支柱５の中間部位に回動自在に枢着した吊りフック部材６と、吊りフック部材６の基端が枢着された支柱５の中間部位より上方部に対し摺動・固定自在に取り付けられ、吊りフック部材６の中間部位が当接し該中間部位を受け止め支持する受け部７ａを備えたクランプ７とを備えており、物掛け部４は、吊りフック部材６の基端が枢着された支柱５の中間部位より下方に取り付けられていることに特徴を有するものである。
このような構成によれば、支柱５を取付対象物２の手前側に垂直に沿わせ、吊りフック部材６のフック部６ｃを取付対象物２の上端に引掛けた後、クランプ７を支柱５と吊りフック部材６とが交差する箇所にまで上方へスライド移動させて吊りフック部材６の中間部位をクランプ７の受け部７ａに当接させ、クランプ７をその位置に固定することにより物干し具１を取付対象物２に簡易迅速に取り付けることができる。この取り付け状態では、吊りフック部材６のフック部６ｃと基端との中間部位と、支柱５の中間部位との間にクランプ７が介在した状態になるため、支柱５が物掛け部４の重量や物掛け部４に掛けられる洗濯物等の荷重により手前側に倒れることなく垂直状態に安定確実に保持される。
取付対象物２の幅が異なる場合には、図１１に示すように、取付対象物２の幅が小さくなるに従ってクランプ７を支柱５の上端方向へスライド移動させて吊りフック部材６のフック部６ｃを取付対象物２の上端に引掛けるだけの簡単な操作でこの物干し具を取付対象物２に取り付けることができる。
【０００７】
請求項１に記載の物干し具は、請求項２に記載のように、吊りフック部材６は、各基端に設けた軸部６ｂを支柱５の中間部位の両側に開口した軸孔９，９に回動自在に係合された一対の腕部６ａ、６ａと、両腕部６ａ，６ａの先端側にフック状に形成されたフック部６ｃとを有する形に形成することができる。このような構成の吊りフック部材によれば、両腕部を支柱の両側に配するよう該支柱に対し交差させてフック部を取付対象物に安定よく引掛けることができる。
【０００８】
請求項１又は２記載の物干し具は、請求項３に記載のように、クランプ７は、支柱５を挟む平面視Ｕ字形状に形成され、このＵ字形状部の前後一対の開離端部７ｂ，７ｂが、該開離端部に挿通した締付けボルト１１で締め付けられるように構成することができる。これによれば、締付けボルトを回すことによりクランプで支柱を容易に抱き締めたり、締付けを緩めたりすることができ、支柱に対するクランプの固定・摺動操作が容易に行える。
【０００９】
請求項１ないし３のいずれか１項に記載の物干し具は、請求項４に記載のように、物掛け部４は、その基端部１８が支柱５の下端側に固定されたブラケット１４に支持された片持水平部材１９からなるものとすることができる。これによれば、洗濯物を掛けやすい片持水平部材を支柱にブラケットを介して簡単に取り付けることができる。
【００１０】
請求項４記載の物干し具は、請求項５に記載のように、ブラケット１４は、片持水平部材１９を略水平姿勢と垂下姿勢とにわたって姿勢切換え可能に支持するように構成することができる。これにより、洗濯物を干さない不使用時には片持水平部材を垂下姿勢にしておくことにより取付対象物のあるベランダなどの狭いスペースを有効に活用することができる。
【発明の効果】
【００１１】
本発明の物干し具によれば、取付対象物に対し吊りフック部材のフック部を引掛けてクランプを支柱に対し固定するだけの簡単な操作で簡易かつ迅速に取り付けることができ、しかも幅の異なる多種類の取付対象物に簡易迅速に取り付けることができて有利である。
【発明を実施するための最良の形態】
【００１２】
本発明の好適な実施形態を図面に基づき説明する。図１は本発明の一実施例を示す物干し具の斜視図、図２は同物干し具の平面図、図３は同物干し具の側面図、図４は同物干し具の背面図、図５は同物干し具に用いるクランプの平面図、図６は同クランプの正面図、図７は同クランプの側面図、図８は同物干し具に用いるブラケットの平面図、図９は同ブラケットの正面図、図１０は同ブラケットの側面図である。
【００１３】
図１〜４において、物干し具１は、取付対象物（支持体）２（図３参照）に引掛けて吊り下げられる支持部３と、この支持部３に支持され洗濯物が掛けられる物掛け部４からなる。取付対象物２としては、ベランダの壁手摺や縦格子手摺、あるいは屋内の鴨居やカーテンレールなどが挙げられる。
【００１４】
支持部３は、図１〜図３に示すように、支柱５と、先端に取付対象物２に引掛けられるフック部６ｃを有し、基端を支柱５の中間部位に回動自在に枢着した吊りフック部材６と、支柱５の中間部位より上方部に対し摺動・固定自在に取り付けられ、吊りフック部材６の中間部位が当接し該中間部位を受け止め支持する受け部７ａを備えたクランプ７とを備える。
【００１５】
吊りフック部材６は、図１〜図４に示すように、１本の金属棒を二つ折りして平行に対向しかつ全体が湾曲状に形成された一対の腕部６ａ，６ａを有し、各腕部６ａの基端には互いに向き合うよう内側に直角に曲げた一対の軸部６ｂ，６ｂを設け、両腕部６ａ，６ａの連続する先端側にはフック状に折り曲げたフック部６ｃを形成する。そして、両腕部６ａ，６ａの軸部６ｂ，６ｂは支柱５の中間部位の両側に開口する軸孔９，９に回動自在に枢着している。この吊りフック部材６は、１本の金属棒を二つ折りして曲げて加工する以外に、合成樹脂材で各基端に軸部６ｂ，６ｂを有する一対の腕部６ａ，６ａ、および両腕部６ａ，６ａの先端側にフック部６ｃを有する上記と同一形状の形に成形することもできる。
【００１６】
クランプ７は、図５〜図７に示すように、支柱５が挿通される支柱挿通孔１０と、一側に前後一対の開離端部７ｂ，７ｂを有する平面視においてＵ字形状に形成されている。前後一対の開離端部７ｂ，７ｂにはボルト挿通孔１２を前後方向に貫通状に設け、このボルト挿通孔１２に締付けボルト１１を前側から挿通し、該締付けボルト１１の先端部をボルト挿通孔１２の断面多角形に形成された後端開口部１２ａに回止め状に嵌め込まれたナット１３に螺合させて締め付けるようにしてある。この締付けボルト１１の締付けによりクランプ７は開離端部７ｂ，７ｂどうしを接近させて支柱５を抱き締め、支柱５の任意高さ位置で固定できる。締付けボルト１１の頭部１１ａは指でつまみ易い形に形成してこれを直接つまんで締付けボルト１１を回すか、あるいは図外のカムレバーを締付けボルト１１上の頭部１１ａと前側の開離端部７ｂとの間に取り付けてこれを手で回すことにより締付けボルト１１を容易かつ迅速に回すことができるようにする。クランプ７の受け部７ａは、吊りフック部材６の中間部を安定よく受け止め支持できるようにクランプ７の前側面と上側面の出会う角を面取りすることにより形成されている。
【００１７】
物掛け部４は、図１〜図４に示すように、吊りフック部材６の軸部６ｂ，６ｂが枢着された支柱５の中間部位より下方にブラケット１４を介して取り付けられる。図８〜図１０に示すように、ブラケット１４は後方へ開放するように設けた横溝部１５と、上下方向に長い縦長孔１６とを上下に配して設け、かつ正面から後面にわたって取付孔２１を貫通しており、その取付孔２１にボルト・ナットなどの止具１７を挿通して支柱５の下端側に固定される（図３参照）。ブラケット１４の後面には、図３のように取付対象物２に当接させるための接触突起１４ａ，１４ａを後方へ突設している。
【００１８】
物掛け部４は、図１〜図４に示すように、その基端部１８をブラケット１４に取り付け、その先端部は自由にして略水平状に延出する１本もしくは複数本（図示例では４本）の片持水平部材１９からなる。片持水平部材１９の基端部１８は、金属パイプ等を折り曲げて上下に平行な直線部１８ａ，１８ｂを有する環状に形成してなる。一方、片持水平部材１９は金属線材を横倒しＵ字状に折り曲げた形に形成してなり、その片持水平部材１９の開放端部１９ａ，１９ｂを基端部１８の直線部１８ａ，１８ｂにそれぞれ挿通させて溶接等で一体的に結合してなる。これら片持水平部材１９及び基端部１８は金属製に代えて、合成樹脂で成形することもできる。
【００１９】
かくして、この片持水平部材１９よりなる物掛け部４は、基端部１８の下側の直線部１８ｂをブラケット１４の縦長孔１６に上下動可能に挿通し、上側の直線部１８ａをブラケット１４の横溝部１５に嵌め込むことにより、支柱５の前方へ先端部を少し高くする略水平な姿勢に延出するよう保持される。物干し具１を取付対象物２に吊り下げる場合において、図３に示すように、物掛け部４の片持水平部材１９が先端部を少し上向きにする傾斜姿勢になるように設定しておくことが、洗濯物が片持水平部材１９から先端部方向へずれ落ちるのを阻止できる点で好ましい。
物掛け部４の不使用時には、片持水平部材１９は、上側の直線部１８ａをブラケット１４の横溝部１５から後方へ取り出し、基端部１８全体を上方へ持ち上げながら下側の直線部１８ａ回りに前方へほぼ９０度回動させることにより先端部を下向きにする垂下姿勢（図３中、破線Ｆを参照）に切換えることができる。片持水平部材１９を垂下姿勢にしておくことにより洗濯物を干さない不使用時において取付対象物２のあるベランダなどの狭いスペースを有効に活用することができる。
【００２０】
物掛け部４は、上記実施例では、幅の広いバスタオルやこれに類する洗濯物が掛けられるように比較的長い長さに形成され、かつ複数本を平行に所定間隔置きに並べて備える片持水平部材１９からなる。物掛け部４として、片持水平部材１９を幅の広いバスタオルやこれに類する洗濯物が掛けられる程度の比較的長い長さに形成しておくと、これら洗濯物も他の洗濯物が干されているベランダ上の狭いスペースを有効活用して省スペースにて干すことができる利点がある。
物掛け部４としては、上記片持水平部材１９に代えて、図外の物干し竿を受ける支持腕部材などで構成することもできる。
【００２１】
次に、上記のように構成された物干し具１を取付対象物に取り付ける要領について図３を参照にして説明する。
【００２２】
図３に示すように、支柱５を取付対象物２の手前側に垂直に沿わせ、吊りフック部材６を取付対象物２の方向へ軸部６ｂまわりに回動させてフック部６ｃを取付対象物２の上端に引掛ける。その際、吊りフック部材６は、各基端に設けた軸部６ｂを支柱５の中間部位の両側に開口した軸孔９，９に回動自在に係合された一対の腕部６ａ、６ａと、両腕部６ａ，６ａの先端側にフック状に形成されたフック部６ｃとを有する形に形成しているので、両腕部６ａ，６ａを支柱５の両側に配するよう該支柱５に対し交差させてフック部６ｃを取付対象物２に安定よく引掛けることができる。
そして、支柱５上においてクランプ７を支柱５と吊りフック部材６とが交差する箇所にまで上方へスライド移動させて吊りフック部材６の中間部位をクランプ７の受け部７ａに当接させ、クランプ７を締付けボルト１１で締め付けてその位置に固定することにより物干し具１を取付対象物２に取り付けることができる。この取り付け状態では、吊りフック部材６の中間部位と支柱５との間にクランプ７が介在した状態にあるため、支柱５は物掛け部４それ自体の重量や物掛け部４に掛けられる洗濯物等の荷重により手前側に倒れることなく垂直状態に安定確実に保持される。
【００２３】
このように取付対象物２に対し吊りフック部材６のフック部６ｃを引掛けてクランプ７を支柱５に対し固定するだけの簡単な操作で簡易迅速に取り付けることができる。
物掛け部４に洗濯物が掛けられると、洗濯物の荷重が吊りフック部材６に加わってフック部６ｃの取付対象物２に対する係合力を増すとともに、ブラケット１４の後面側の接触突起１４ａ，１４ａが取付対象物２の手前側に強く押付けられることにより、取付対象物２に対する吊り下げ安定感が増すことになり、物干し具１は風に煽られる場合も取付対象物２上で動じたり、外れたりするようなことなく安定よく吊り下げられる。
【００２４】
取付対象物２に対し吊りフック部材６のフック部６ｃを引掛ける手段によれば、幅の異なる多種類の取付対象物２、すなわちベランダの壁手摺や縦格子手摺、あるいは屋内の鴨居やカーテンレールなどにも物干し具１を簡単かつ確実に取り付けることができる。
図１１（ａ）〜（ｅ）に示すように、取付対象物２の幅Ｗが小さくなるに従ってクランプ７を支柱５の上端方向へスライド移動させるだけの簡単な操作で物干し具１は幅を異にする各種の取付対象物２に取り付けられる。
図１２は、取付対象物２が断面円形の手摺である場合、この手摺に吊りフック部材６のフック部６ｃを引掛けた態様を示している。図１３は、取付対象物２が縦格子手摺である場合、この手摺２２に吊りフック部材６のフック部６ｃを引掛けた態様の正面図を示している。この場合、ブラケット１４の後面側の各接触突起１４ａ，１４ａより外側方の両端部１４ｂ、１４ｂを縦格子２３，２３に当接させる（図８参照）。
【００２５】
物干し具１を取付対象物２から取り外すには、物干し具１全体を上方に持ち上げて吊りフック部材６のフック部６ｃを取り外すだけで簡単且つ容易に取り外すことができる。したがって、たとえば、物干し具１をベランダの手摺に取り付けていて、急に雨天になった場合には物干し具１をベランダの手摺から速やかに取り外して屋内の鴨居などに取り付けるという使用法を採ることができる。
【００２６】
なお、吊りフック部材６、支柱５、クランプ７、ブラケット１４など各部材は金属製に代えて、合成樹脂材料で構成するものであってもよい。
【図面の簡単な説明】
【００２７】
【図１】本発明の一実施例を示す物干し具の斜視図である。
【図２】同物干し具の平面図である。
【図３】同物干し具の側面図である。
【図４】同物干し具の背面図である。
【図５】同物干し具に用いるクランプの平面図である。
【図６】同クランプの正面図である。
【図７】同クランプの側面図である。
【図８】同物干し具に用いるブラケットの平面図である。
【図９】同ブラケットの正面図である。
【図１０】同ブラケットの側面図である。
【図１１】同物干し具を幅の異なる各種の取付対象物に取り付けたバリエーションの側面図である。
【図１２】同物干し具を取付対象物である断面円形の手摺に取り付けた状態の側面である。
【図１３】同物干し具を取付対象物である縦格子手摺に取り付けた状態の正面図である。
【符号の説明】
【００２８】
１  物干し具
２  取付対象物
３  支持部
４  物掛け部
５  支柱
６  吊りフック部材
６ａ  腕部
６ｂ  軸部
６ｃ  フック部
７  クランプ
７ａ  受け部
７ｂ  開離端部
９  軸孔
１１  ボルト
１３  ナット
１４  ブラケット
１８  基端部
１９  片持水平部材
【図１】
2007307102.tif 000003
【図２】
2007307102.tif 000004
【図３】
2007307102.tif 000005
【図４】
2007307102.tif 000006
【図５】
2007307102.tif 000007
【図６】
2007307102.tif 000008
【図７】
2007307102.tif 000009
【図８】
2007307102.tif 000010
【図９】
2007307102.tif 000011
【図１０】
2007307102.tif 000012
【図１１】
2007307102.tif 000013
【図１２】
2007307102.tif 000014
【図１３】
2007307102.tif 000015